(57)【要約】【課題】ガードの位置を目視で容易に確認することができ、しかも、安価に製造することが可能な電線被覆剥取器を提供する。【解決手段】電線被覆剥取器１は、保持部５２ａと取付部５２ｂと連結部５２ｃからなる支持体５２と、支持体５２に取り付けられ外周面に雄ネジ部５３ａが刻設された軸体５３と、軸体５３の他端に設置される刃体ホルダ５４と、刃体ホルダ５４によって保持される主刃５５及び補助刃５６と、補助刃５６の側面の一部を覆うように設置される刃体ホルダ５４の側面板５４ｂ，５４ｂの外側に、側面板５４ｂに沿って摺動可能に設置されるガード２と、を備えており、ガード２の側面板５４ｂとの対向面には、ガード２の一端が「前進位置」にあるときに目視可能な箇所（着色部３ａ）に赤い着色が施され、ガード２の一端が「後退位置」にあるときに目視可能な箇所（着色部３ｂ）に青い着色が施されている。【選択図】図２
2017099169.tif 000002
【特許請求の範囲】
【請求項１】
保持部と取付部の背面側が連結部によって連結されて側面視略「コ」の字状をなす支持体と、
前記取付部に対して直交するとともに前記連結部の長手方向と平行をなす軸心を中心とした回動に伴って進退可能に前記取付部によって保持される軸体と、
この軸体の一端に取り付けられて前記保持部と前記取付部の間に設置される刃体ホルダと、
この刃体ホルダと前記保持部の間に前記支持体の幅方向と平行をなすように設置される電線の被覆に対し、その長さ方向と周方向に沿って切れ込みを形成可能に刃先を向けた状態で前記刃体ホルダに取り付けられる主刃及び補助刃と、
前記補助刃の側面の一部を覆うように設置される前記刃体ホルダの側面板に沿って摺動可能に設置されるガードと、を備え、
前記ガードの一端が前記補助刃の前記刃先の前方で前記被覆に当接し得る「前進位置」と、前記補助刃の前記刃先が前記ガードの一端の前方で前記被覆に当接し得る「前進位置」との間で往復自在に前記ガードが設置された電線被覆剥取器において、
前記ガードの前記側面板との対向面に対し、前記ガードの一端が前記「前進位置」にあるときに目視可能な箇所に着色が施されたことを特徴とする電線被覆剥取器。
【請求項２】
前記対向面に対し、前記ガードの一端が前記「前進位置」にあるときに代えて、又は前記「前進位置」にあるときに加え、前記「後退位置」にあるときに目視可能な箇所に着色が施されたことを特徴とする請求項１に記載の電線被覆剥取器。
【発明の詳細な説明】
【技術分野】
【０００１】
本発明は、電線の被覆を剥離する作業に用いられる電線被覆剥取器に係り、特に、取り扱いが容易で安価に製造することが可能な電線被覆剥取器に関する。
【背景技術】
【０００２】
送配電等のために架設されている電線を分岐接続する場合、芯線同士を接続するために、電線の被覆を剥離して芯線を露出させる必要がある。一般に、この作業は活線の状態で専用の工具（以下、電線被覆剥取器という。）を用いて行われることが多い。
【０００３】
ここで、従来の電線被覆剥取器の構造について図４乃至図６を用いて説明する。  
図４及び図５（ａ）はそれぞれ従来技術に係る電線被覆剥取器の正面図及び側面図であり、図５（ｂ）及び図５（ｃ）はそれぞれガードの正面図及び平面図である。また、図６（ａ）及び図６（ｂ）は図５（ａ）の一部を拡大して示した図である。
図４及び図５に示すように、電線被覆剥取器５１は、保持部５２ａと取付部５２ｂと連結部５２ｃからなる支持体５２と、外周面に雄ネジ部５３ａが刻設され、一端に係合用リング６０が設けられた軸体５３と、主刃５５及び補助刃５６を保持する刃体ホルダ５４と、先端に係合用リング６１を有し、支持体５２の背面に取り付けられたアーム５７を備えている。
【０００４】
保持部５２ａの内面側には、側面視円弧状をなす凹溝５８が横幅全体に亘って幅方向と平行に設けられており、取付部５２ｂの幅方向の略中央には、軸体５３が挿通される貫通孔（図示せず）が連結部５２ｃと平行に穿設されている。また、取付部５２ｂに固設されるネジリング５９には、雄ネジ部５３ａと螺合する雌ネジ部（図示せず）が、この貫通孔に連通するように設けられている。
【０００５】
刃体ホルダ５４は、ベース部材５４ａと一対の側面板５４ｂ，５４ｂと連結棒５４ｃによって構成されている。主刃５５はベース部材５４ａに対してネジ止めされ、補助刃５６，５６は主刃５５の幅方向の両端にそれぞれ設置されて側面板５４ｂ，５４ｂに対してネジ止めされている。
なお、主刃５５と補助刃５６は、凹溝５８に配置された電線の被覆に対し、長さ方向に沿った切れ込みと周方向に沿った切れ込みがそれぞれ形成される箇所に設置されている。
【０００６】
支持体５２の保持部５２ａには、側面板５４ｂ，５４ｂの先端が当接する箇所にそれぞれ凹部６２，６２が設けられている。すなわち、電線被覆剥取器５１では、刃体ホルダ５４が所定の高さ以上に上昇しないようにして、主刃５５と補助刃５６の電線の被覆に対する切れ込みの深さが制限される構造となっている。
また、側面板５４ｂ，５４ｂの外側には、長穴６３ａを有するガード６３が軸体５３と直交する方向へスライド可能にネジ６４を用いてそれぞれ取り付けられている。そして、ガード６３と側面板６４ｂの間には、ガード６３を側面板６４ｂに対して押し付ける方向へ付勢するコイルバネ６５が設置されている。
【０００７】
このような構造の電線被覆剥取器５１において、図６（ａ）に示すように補助刃５６の刃先がガード６３の一端よりも前方で電線Ｌの被覆に当接し得るとき（以下、ガード６３の一端が「後退位置」にあるときという。）、電線Ｌは補助刃５６によって被覆に切れ込みが形成される。これに対し、図６（ｂ）に示すようにガード６３の一端が補助刃５６の刃先がよりも前方で電線Ｌの被覆に当接し得るとき（以下、ガード６３の一端が「前進位置」にあるときという。）、補助刃５６が電線Ｌの被覆に当接しないため、補助刃５６によって電線Ｌの被覆に切れ込みが形成されることはない。
【０００８】
すなわち、図６（ａ）に示すように、支持体５２の凹溝５８に電線Ｌを挿入し、ガード６３の一端が「後退位置」に配置されるようにガード６３を後退させた状態で、係合用リング６０（図５（ａ）参照）を操作して刃体ホルダ５４が保持部５２ａに近づく方向に軸体５３を回動させると、主刃５５と補助刃５６が電線Ｌの被覆に食い込んだ状態となり、主刃５５によって、電線Ｌの被覆に対し、長さ方向に沿った切れ込みが形成される。
さらに、係合用リング６１（図５（ａ）参照）を把持してアーム５７を電線Ｌの軸周りに回動させると、主刃５５によって形成された上記切れ込みの両端に、補助刃５６，５６によって、電線Ｌの周方向に沿った２本の切れ込みが被覆に対して形成されるとともに、この２本の切れ込みによって挟まれた部分の被覆が主刃５５によって電線Ｌから剥ぎ取られる。
【０００９】
また、既に被覆が剥ぎ取られて芯線が露出した部分については、ガード６３の一端が「前進位置」に配置されるようにガード６３を前進させることで、補助刃５６によって芯線が疵つかないようにすることができる。
しかし、ガード６３は電線被覆剥取器５１に間接活線工具等が接触したはずみで、勝手に移動してしまう場合がある。このような場合、ガード６３の一端が「前進位置」にあるにも関わらず、作業者が「後退位置」にガード６３の一端があると勘違いして、アーム５７を電線Ｌの軸線周りに回動させてしまうと、ガード６３が破損したり、刃体ホルダ５４から外れたりするおそれがある。
あるいは、ガード６３の一端が「後退位置」にあるにも関わらず、作業者が「前進位置」にガード６３の一端があると勘違いして、既に被覆が剥ぎ取られた部分に配置された電線被覆剥取器５１を電線Ｌの長さ方向に沿って移動させてしまうと、補助刃５６が芯線に接触し、これによって芯線が疵つけられるおそれがある。
【００１０】
このようにガード６３が不用意に移動してしまうことによる弊害を解決するべく、従来、電線被覆剥取器について様々な発明や考案がなされている。例えば、特許文献１には、「電線被覆剥離用工具」という名称で、ガードを間接活線用工具で操作する構造を備えた発明が開示されている。
この発明は、従来の電線被覆剥取器において、ガードに間接活線用工具で把持可能な大きさの把持部が設けられた構造となっている。
このような構造であれば、ガードが何らかの原因により補助刃の刃先をガードする位置（すなわち、前述の「前進位置」）に戻ったとしても間接活線用工具によってガードを把持して、補助刃の刃先から後退させることができる。すなわち、ガードを遠隔操作して移動させることができるため、ガードが不用意に移動した場合に、電線から被覆を剥離する作業を中断して、ガードを元の位置に戻す必要がない。したがって、作業効率が向上する。
【００１１】
また、特許文献２には、「電線被覆剥取器」という名称で、電線に取り付けた状態のまま、電線の被覆の周方向への切断の要否を操作できる構造を備えた発明が開示されている。
この発明は、電線の被覆に刃先が切り込む切断位置と被覆に刃先が届かない退避位置との間で補助刃を往復移動自在に支持する支持構造と、各位置に補助刃を位置決め保持する保持構造と、遠隔位置からの付勢力を受けて各位置に補助刃を移動させる受圧構造を備えたことを特徴としている。
このような構造によれば、電線の被覆を剥離する作業の途中で、補助刃が不用意に移動してしまうおそれがないため、当該作業を効率よく行うことができる。
【先行技術文献】
【特許文献】
【００１２】
【特許文献１】特開２０１２−０３９７５０号公報
【特許文献２】特開２０１２−１６５５０７号公報
【発明の概要】
【発明が解決しようとする課題】
【００１３】
特許文献１に記載された発明では、ガードが移動したことに作業者が気付いた場合には、速やかにガードを元の位置に戻すことができるものの、ガードが移動したことに作業者が気付かない場合には、ガードの破損や芯線の損傷等の事故を防ぐことができない。
【００１４】
また、特許文献２に記載された発明は、ガードによって補助刃を保護するのではなく、補助刃自体を移動させ、しかも、補助刃を所定の位置で保持する保持構造を備えているため、ガードが不用意に移動してしまうことに起因する従来技術における弊害は発生しない。しかしながら、この発明では、従来技術に係る電線被覆剥取器に比べて、補助刃の構造が複雑になるため、製造コストが高くなってしまうおそれがある。
【００１５】
本発明はかかる従来の事情に対処してなされたものであって、ガードの位置を目視で容易に確認することができ、しかも、安価に製造することが可能な電線被覆剥取器を提供することを目的とする。
【課題を解決するための手段】
【００１６】
上記目的を達成するため、第１の発明は、保持部と取付部の背面側が連結部によって連結されて側面視略「コ」の字状をなす支持体と、取付部に対して直交するとともに連結部の長手方向と平行をなす軸心を中心とした回動に伴って進退可能に前記取付部によって保持される軸体と、この軸体の一端に取り付けられて保持部と取付部の間に設置される刃体ホルダと、この刃体ホルダと保持部の間に支持体の幅方向と平行をなすように設置される電線の被覆に対し、その長さ方向と周方向に沿って切れ込みを形成可能に刃先を向けた状態で刃体ホルダに取り付けられる主刃及び補助刃と、補助刃の側面の一部を覆うように設置される刃体ホルダの側面板に沿って摺動可能に設置されるガードと、を備え、ガードの一端が補助刃の刃先の前方で被覆に当接し得る「前進位置」と、補助刃の刃先がガードの一端の前方で被覆に当接し得る「前進位置」との間で往復自在にガードが設置された電線被覆剥取器において、ガードの側面板との対向面に対し、ガードの一端が「前進位置」にあるときに目視可能な箇所に着色が施されたことを特徴とするものである。
【００１７】
このような構造の電線被覆剥取器においては、ガードの一端が「前進位置」にあるとき、ガードの着色された部分が露出し、目視可能な状態になるという作用を有する。
【００１８】
また、第２の発明は、第１の発明において、対向面に対し、ガードの一端が「前進位置」にあるときに代えて、又は「前進位置」にあるときに加え、「後退位置」にあるときに目視可能な箇所に着色が施されたことを特徴とするものである。
このような構造の電線被覆剥取器においては、ガードの一端が「後退位置」にあるとき、ガードの着色された部分が露出し、目視可能な状態になるという作用を有する。
【発明の効果】
【００１９】
第１の発明においては、ガードの着色された部分を確認するだけで、ガードの一端が「前進位置」にあることを瞬時に把握することができる。すなわち、本発明によれば、電線の被覆の剥ぎ取り作業の途中でガードが不用意に移動した場合でもガードの位置の目視確認が容易であるため、作業者の勘違いにより、ガードを破損したり、電線の芯線を疵つけたりしてしまうおそれがない。また、従来の電線被覆剥取器と比較しても、構造が複雑でないため、安価に製造することが可能である。
【００２０】
第２の発明によれば、ガードの着色された部分を確認するだけで、ガードの一端が「後退位置」にあることを瞬時に把握することができることから、第１の発明と同様の効果を奏する。なお、ガードの一端が「前進位置」にあるときに加えて、「後退位置」にあるときに目視可能な箇所にも着色が施された構造とすれば、ガードの位置の目視確認がさらに容易となるため、作業者の勘違いにより、ガードを破損したり、電線の芯線を疵つけたりしてしまうおそれがないという第１の発明の効果がより一層発揮される。
【図面の簡単な説明】
【００２１】
【図１】本発明の実施の形態に係る電線被覆剥取器の実施例の正面図である。
【図２】（ａ）は図１に示した電線被覆剥取器の側面図であり、（ｂ）及び（ｃ）はそれぞれガードの正面図及び平面図である。
【図３】（ａ）及び（ｂ）は図２（ａ）の一部を拡大して示した図である。
【図４】従来技術に係る電線被覆剥取器の正面図である。
【図５】（ａ）は従来技術に係る電線被覆剥取器の側面図であり、（ｂ）及び（ｃ）はそれぞれガードの正面図及び平面図である。
【図６】（ａ）及び（ｂ）は図５（ａ）の一部を拡大して示した図である。
【発明を実施するための形態】
【００２２】
本発明の電線被覆剥取器について図１乃至図３を用いて説明する。なお、本発明は、図４乃至図６に示した従来技術に係る電線被覆剥取器５１の一部を改良したものであるため、基本的な構造は電線被覆剥取器５１と同じである。したがって、図４乃至図６を用いて既に説明した構成要素については、同一の符号を付して、その説明の一部を省略する。
【実施例】
【００２３】
図１及び図２（ａ）はそれぞれ本発明の電線被覆剥取器の構造の一例を示した正面図及び側面図であり、図２（ｂ）及び図２（ｃ）はそれぞれ図１に示した電線被覆剥取器を構成するガードの正面図及び平面図である。また、図３（ａ）及び図３（ｂ）は図２（ａ）の一部を拡大して示した図であり、ガード６３の一端が「後退位置」にある状態と「前進位置」にある状態をそれぞれ示している。
なお、図１乃至図３は図４乃至図６にそれぞれ相当する。ただし、図３（ａ）及び図３（ｂ）では、一対のガード２，２のうち、図面手前側に配置されるガード２の図示を省略するとともに、電線Ｌを破線で示している。
【００２４】
図１及び図２に示すように、電線被覆剥取器１は、保持部５２ａと取付部５２ｂの背面側が連結部５２ｃによって連結されて側面視略「コ」の字状をなす支持体５２と、この支持体５２に取り付けられ一端に係合用リング６０が設けられるとともに外周面に雄ネジ部５３ａが刻設された軸体５３と、この軸体５３の他端に設置される刃体ホルダ５４と、この刃体ホルダ５４によって保持される主刃５５及び補助刃５６と、支持体５２の背面に取り付けられ先端に係合用リング６１が設けられたアーム５７を備えている。なお、本実施例の電線被覆剥取器１はアルミ合金製である。
【００２５】
支持体５２は、側面視半円形状をなす凹溝５８が保持部５２ａの幅全体に亘って、その内面側に設けられるとともに、軸体５３を挿通可能に連結部５２ｃと平行な貫通孔（図示せず）が取付部５２ｂの幅方向の略中央に穿設され、この貫通孔に連通し雄ネジ部５３ａと螺合する雌ネジ部（図示せず）が形成されたネジ孔（図示せず）を有するネジリング５９が取付部５２ｂに固設されている。
【００２６】
刃体ホルダ５４は、支持体５２の保持部５２ａと取付部５２ｂの間に配置され軸体５３の端部に固定されるベース部材５４ａと、このベース部材５４ａの幅方向の両側に連設される一対の側面板５４ｂ，５４ｂと、この一対の側面板５４ｂ，５４ｂによって両端を支持された状態で支持体５２の連結部５２ｃの背面側に配置される連結棒５４ｃによって構成されている。
【００２７】
主刃５５と補助刃５６はいずれも平板状をなしており、主刃５５は保持部５２ａの凹溝５８内に支持体５２の幅方向と平行をなすように設置される電線の被覆に対し、その長さ方向に沿って切れ込みを形成可能に、刃先を向けた状態で連結部５２ｃと平行をなすようにベース部材５４ａに対してネジ止めされ、補助刃５６，５６は、上述の電線の被覆に対し、その周方向に沿って切れ込みを形成可能に、刃先を向けた状態で主刃５５と直交するように側面板５４ｂ，５４ｂと主刃５５の幅方向の両端の間にそれぞれ配置されるようにベース部材５４ａに対してネジ止めされている。
このような構造により、電線被覆剥取器１においては、軸体５３の回動に伴って刃体ホルダ５４が保持部５２ａに接近すると、電線の被覆に対し、主刃５５による切れ込みが連結部５２ｃから遠い側に形成され、これと同時に、補助刃５６による切れ込みが主刃５５による上述の切れ込みに直交するように、その両端にそれぞれ形成される。
【００２８】
なお、刃体ホルダ５４の側面板５４ｂ，５４ｂは、支持体５２の保持部５２ａに設けられた凹溝５８の両側に対応する箇所が主刃５５及び補助刃５６よりも高くなるように形成されるとともに、凹溝５８に対向する箇所が側面視略Ｕ字状に切り欠かれている。また、支持体５２の保持部５２ａには、刃体ホルダ５４の側面板５４ｂ，５４ｂが所定の高さ以上に上昇しないように、それらの先端が当接する箇所にそれぞれ凹部６２，６２が設けられている。すなわち、側面板５４ｂ，５４ｂの先端が凹部６２，６２に当接することにより、主刃５５と補助刃５６の電線の被覆に対する切れ込みの深さが制限されている。
【００２９】
補助刃５６の側面の一部を覆うように設置される刃体ホルダ５４の側面板５４ｂ，５４ｂの外側には、長穴２ａに挿通されるネジ６４によってガード２が軸体５３に直交する方向へ側面板５４ｂに沿って摺動可能に取り付けられている。また、ガード２は側面板５ｂに対して押し付けられる方向へコイルバネ６５によって付勢されている。さらに、ガード２は、側面板５４ｂに対向する面に対し、その一端が「前進位置」にあるときに目視可能な箇所（図２（ｃ）に示した着色部３ａ）に赤い着色が施され、その一端が「後退位置」にあるときに目視可能な箇所（図２（ｃ）に示した着色部３ｂ）に青い着色が施されている。
【００３０】
このような構造の電線被覆剥取器１においては、図３（ａ）に示すようにガード２の一端が「後退位置」にあるとき、着色部３ａが側面板５４ｂによって隠されるとともに着色部３ｂが露出した状態となる。一方、図３（ｂ）に示すようにガード２の一端が「前進位置」にあるとき、着色部３ｂが側面板５４ｂによって隠されるとともに着色部３ａが露出した状態となる。なお、着色部３ａが完全に露出しているときには着色部３ｂが側面板５４ｂによって完全に隠された状態となっており、着色部３ｂが完全に露出しているときには着色部３ａが側面板５４ｂによって完全に隠された状態となっている。すなわち、電線被覆剥取器１では、着色部３ａ，３ｂのいずれか一方のみが露出する構造となっている。
【００３１】
したがって、本発明の電線被覆剥取器１においては、着色部３ａ，３ｂのうちのどちらが露出しているかを確認するだけで、ガード２の一端が「前進位置」と「後退位置」のいずれの状態にあるかを瞬時に把握することができる。
すなわち、本発明によれば、電線の被覆の剥ぎ取り作業の途中でガード２が不用意に移動した場合でもガード２の位置の目視確認が容易であるため、作業者の勘違いにより、ガード２を破損したり、電線の芯線を疵つけたりしてしまうおそれがない。また、従来の電線被覆剥取器と比較しても、構造が複雑でないため、安価に製造することができる。
【００３２】
本実施例では、着色部３ａを赤色とし、着色部３ｂを青色しているが、着色部３ａ，３ｂの色は本実施例に示したものに限定されるものではなく、適宜変更可能である。また、着色部３ａ，３ｂのうちの一方のみを設ける構造としても良い。なお、着色部３ａ，３ｂの両方を設けた場合、その一方のみを設けた場合に比べて、ガードの位置を目視で確認する際に作業者が着色部を見落とし難いため、安全性が高まるというメリットがある。
【産業上の利用可能性】
【００３３】
本発明は、電線を分岐接続する作業等において、電線の被覆を剥離して芯線を露出させる必要がある場合に利用可能である。
【符号の説明】
【００３４】
１…電線被覆剥取器  ２…ガード  ２ａ…長穴  ３ａ，３ｂ…着色部  ５１…電線被覆剥取器  ５２…支持体  ５２ａ…保持部  ５２ｂ…取付部  ５２ｃ…連結部  ５３…軸体  ５３ａ…雄ネジ部  ５４…刃体ホルダ  ５４ａ…ベース部材  ５４ｂ…側面板  ５４ｃ…連結棒  ５５…主刃  ５６…補助刃  ５７…アーム  ５８…凹溝  ５９…ネジリング  ６０，６１…係合用リング  ６２…凹部  ６３…ガード  ６３ａ…長穴  ６４…ネジ  ６５…コイルバネ  Ｌ…電線  
【図１】
2017099169.tif 000003
【図２】
2017099169.tif 000004
【図３】
2017099169.tif 000005
【図４】
2017099169.tif 000006
【図５】
2017099169.tif 000007
【図６】
2017099169.tif 000008